(57)【要約】【課題】制御盤の前面壁がドア開閉式でなく封鎖されている場合でも、より早く・確実に既設の制御装置を新たな制御装置に取り替えることが可能な制御装置取替方法を提供する。【解決手段】  既設制御盤２００のフレーム２１１の背面側の辺を取り外して開口部２１１ａを形成し、新設ケーブル３３０を記既設制盤２００内部と、開口部２１１ａと、既設制御盤２００の側壁２１２の外側の空間Ｓとを通過させて新設制御盤３００の制御機器３２０に接続する。次いで、既設制御盤２００から既設ケーブル２３０を取り外して、既設制御盤２００を撤去し、既設制御盤２００が設置されていた位置に新設制御盤３００を移動する。【選択図】図３
2017046458.tif 000002
【特許請求の範囲】
【請求項１】
四角い枠状で設置床の上に配設されるフレームと、前記フレームの対面する二辺から立ち上がる側壁と、前記側壁に隣接する前面壁とを有するキャビネット内に制御機器が収容され、前記設置床下からの既設ケーブルが前記制御機器に接続されており、前記側壁のうち少なくとも一方は、隣接する設備または建屋の側壁から、所定の空間を有している既設制御装置を、新設制御装置に取り替えるための、制御装置取替方法であって、
前記フレームの背面側に係る辺を取り外して開口部を形成する、開口部形成ステップと、
前記新設制御装置を仮置きする、仮置きステップと、
前記設置床下からの新設ケーブルを、前記既設制御装置内部と、前記開口部と、前記空間とを通過させて前記新設制御装置の制御機器に接続するケーブル接続ステップと、
前記既設制御装置を通電停止状態とし、前記新設制御装置を通電可能状態とする通電切替ステップと、
前記通電切替ステップの後に、前記既設ケーブルを前記既設制御装置から取り外す取り外しステップと、
前記既設制御装置を撤去する撤去ステップと、
前記撤去ステップの後に、前記既設制御装置が設置されていた位置に前記新設制御装置を移動する移動ステップと、
を備えることを特徴とする制御装置取替方法。
【請求項２】
前記開口部形成ステップは、遅くとも、前記撤去ステップより前に行われることを特徴とする請求項１に記載の制御装置取替方法。
【発明の詳細な説明】
【技術分野】
【０００１】
本発明は、制御盤や配電盤、リレー盤などの制御装置を取り替える制御装置取替方法に関する。
【背景技術】
【０００２】
既設の制御盤を新たな制御盤に取り替える際に、配電盤室が狭隘なため、新たに制御盤を設置するスペースを配電盤室内に確保できない場合がある。このような場合に、既設の制御盤を撤去して、その設置スペースに、新たな制御盤を設置する技術としては、既設の制御盤の底部のフレームのうち、制御盤の前面のドアを開放した状態で、前面の辺を切除して開口を設け、設置床下からの新ケーブルを引き出して、制御盤と開口を通過して敷設し、新たな制御盤に接続し、既設の制御盤を撤去した後に、新たな制御盤を同じ設置スペースに設置するものが存在する（例えば、特許文献１参照）。特許文献１記載の方法によれば、既設の制御盤の設置状況や設置環境などに制限されることなく、既設の制御盤が設置されていた位置に新設の制御盤を設置することができる。
【先行技術文献】
【特許文献】
【０００３】
【特許文献１】特５４９７１２６号公報
【発明の概要】
【発明が解決しようとする課題】
【０００４】
しかしながら、特許文献１記載の方法は、制御盤によっては前面壁がドア開閉式でなく、封鎖されているものもあり、この場合は構造上、フレームの前面側の辺の切除が困難である。その場合は、制御盤全体をジャッキ等の設備で水平に持上げ、一定のスペースを確保し、そのスペースに上述のケーブルを通過させる方法をとらなければならないため、多大な時間と労力、設備、費用を要していた。
【０００５】
本発明は、上記課題を解決するために、制御盤の前面壁がドア開閉式でなく封鎖されている場合でも、より早く・確実に既設の制御装置を新たな制御装置に取り替えることが可能な制御装置取替方法を提供することを目的とする。
【課題を解決するための手段】
【０００６】
上記課題を解決するために、請求項１の発明は、四角い枠状で設置床の上に配設されるフレームと、フレームの対面する二辺から立ち上がる側壁と、側壁に隣接する前面壁とを有するキャビネット内に、制御機器が収容され、設置床下からの既設ケーブルが制御機器に接続されており、側壁のうち少なくとも一方は、隣接する設備または建屋の側壁から、所定の空間を有している既設制御装置を、新設制御装置に取り替えるための制御装置取替方法である。この制御装置取替方法は、開口部形成ステップ、仮置きステップ、ケーブル接続ステップ、通電切替ステップ、取り外しステップ、撤去ステップ、および移動ステップを備える。開口部形成ステップは、フレームの背面側に係る辺を取り外して開口部を形成する。仮置きステップは、新設制御装置を仮置きする。ケーブル接続ステップは、設置床下からの新設ケーブルを、既設制御装置内部と、開口部と、空間とを通過させて新設制御装置の制御機器に接続する。通電切替ステップは、既設制御装置を通電停止状態とし、新設制御装置を通電可能状態とする。取り外しステップは、通電切替ステップの後に、既設ケーブルを既設制御装置から取り外す。撤去ステップは、既設制御装置を撤去する。移動ステップは、撤去ステップの後に、既設制御装置が設置されていた位置に新設制御装置を移動する。
【０００７】
この発明によれば、例えば、まず既設制御装置のフレームの背面側に係る辺を取り外して開口部を形成し（開口部形成ステップ）、新設制御装置を仮置きする（仮置きステップ）。次に、設置床下からの新設ケーブルを、既設制御装置内部と、開口部と、空間とを通過させて新設制御装置の制御機器に接続し（ケーブル接続ステップ）、既設制御装置を通電停止状態とし、新設制御装置を通電可能状態とする（通電切替ステップ）。そして、通電切替ステップの後に、既設ケーブルを既設制御装置から取り外し（取り外しステップ）、既設制御装置を撤去し（撤去ステップ）、撤去ステップの後に、既設制御装置が設置されていた位置に新設制御装置を移動する（移動ステップ）。
【０００８】
請求項２に記載の発明は、開口部形成ステップは、遅くとも、撤去ステップより前に行われるようにしたものである。
【発明の効果】
【０００９】
請求項１の発明によれば、既設制御装置のフレームの背面側に係る辺を取り外して開口部を形成し、この開口部に新設ケーブルを通して既設制御装置を撤去するため、既設制御装置の前面壁がドア開閉式でなく封鎖されている場合でも、既設制御装置を持ち上げる必要がない。つまり、既設制御装置を持ち上げるために必要な多大な時間と労力、設備、費用などを要しないので、設置状態や設置環境に制限されることなく、既設制御装置が設置されていた位置に新設制御装置を設置することができる。すなわち、新設制御装置を設置するスペースを確保できない場合であっても、より早く・確実に既設制御装置を新設制御装置に取り替えることができる。
【００１０】
請求項２発明によれば、開口部形成ステップは、遅くとも撤去ステップより前に行えばよいので、取替作業の進捗状況などに応じて開口部形成ステップの開始タイミングを柔軟に変更することができ、作業効率の向上に資することができる。
【図面の簡単な説明】
【００１１】
【図１】既設制御盤の設置状態を示す説明図である。
【図２】既設制御盤の背面側のフレームの一部を取り外して開口部を形成し、かつ新設制御盤を仮置きした状態を示す説明図である。
【図３】設置床下からの新設ケーブルを既設制御盤を介して新設制御装置の制御機器に接続した状態を示す説明図である。
【図４】既設制御盤から既設ケーブルおよび制御機器を取り外した状態を示す説明図である。
【図５】既設制御盤を移動して撤去する状態を示す説明図である。
【図６】既設制御盤の設置位置に新設制御盤を移動する状態を示す説明図である。
【図７】新設制御盤を設置し終えた状態を示す説明図である。
【図８】既設制御盤の設置状態を示す正面図（ａ）、平面図（ｂ）および背面図（ｃ）である。
【図９】フレームの設置当初の状態（ａ）、開口部を形成した状態（ｂ）および開口部に新設ケーブルを通した状態（ｃ）を示す平面図である。
【図１０】制御装置取替方法の手順を示すフローチャートである。
【発明を実施するための形態】
【００１２】
以下、この発明を図示の実施の形態に基づいて説明する。
【００１３】
図１〜７は、この実施の形態に係る制御装置取替方法における各ステップ・工程等を示す図である。この制御装置取替方法は、設置床１００上の既設制御盤（既設制御装置）２００を新設制御盤（新設制御装置）３００に取り替えるための方法、特に、既設制御盤２００が設置されている位置・場所である設置床１００に新設制御盤３００を設置する方法である。
【００１４】
先ず、設置床１００には、架台１０１が設置され、その上に既設制御盤２００が載置されている。設置床１００の既設制御盤２００の設置位置（フレーム２１１の枠内）にはケーブル孔１０２が形成されており、既設ケーブル２３０は、床下（地下）のケーブル処理室（図示せず）からこのケーブル孔１０２を通って、既設制御盤２００の内部に通されている。また、設置床１００には、後述する新設ケーブル３３０なども設置床１００上に立ち上げられるように、予め複数のケーブル孔１０２、あるいは大きなケーブル孔１０２が形成されている。
【００１５】
次に、制御盤２００の概略構造や設置状態などについて説明する。図８（ａ）、（ｂ）、（ｃ）はそれぞれ、図１の既設制御盤２００の正面図、平面図、背面図である。既設制御盤２００は、筐体状・箱状のキャビネット２１０を備え、このキャビネット２１０内に各種の制御機器２２０や部材（図示せず）などが収容されている。制御機器２２０には、複数の既設ケーブル２３０の端部が接続されている。なお、制御機器２２０は、実際は複雑な形状をしているが、図の簡略化のために極めて抽象化した形で表している。また、既設制御盤２００と新設制御盤３００とは構造や設置状態などが同等である。
【００１６】
キャビネット２１０は、主として、底に当たるフレーム２１１と、このフレーム２１１の四辺のうち、対面する二辺から立ち上がる側壁２１２と、側壁２１２に隣接する前面壁２１３と、前面壁２１３と対面する背面Ｂから構成され、必要に応じて天板を備えている。図１では、側壁２１２は、紙面の手前と奥の２面であり、前面壁２１３は向かって左側、背面Ｂは右側に位置する。
【００１７】
キャビネット２１０の各構成について説明する。背面Ｂはコの字を下向きした形状の枠のみで構成され、側壁２１２のような壁板が設けられておらず、開放されている状態にある。制御盤内部の制御機器２２０の保守や、ケーブル２３０の付け外しなどの作業は、この背面の開口から作業を行う。また、前面壁２１３は開閉式のドアである場合もある。
【００１８】
フレーム２１１は、断面がＬ字形のアングル鋼材や矩形の鋼材などで構成され、平面形状が四角い枠状（「ロ」字状）に形成される。つまり、上述の既設ケーブル２３０は、既設制御盤２００の真下から立ち上がり、フレーム２１１内を通る構成となっている。また、フレーム２１１の材質、断面形状は、後述するようにしてフレーム２１１の一部を切断して開口部２１１ａが形成された場合であっても、必要な強度、剛性が確保されるように設定されている。
【００１９】
次に、このような既設制御盤２００に対する本制御装置取替方法について、図１０のフローチャートにしたがって説明する。ここで、図１〜７においては、説明、理解を容易にするため、制御盤２００、３００の一部内部を図示し、かつ簡略化して図示している。
【００２０】
図１に示すように、上記のような構成の既設制御盤２００が設置されている。このとき、既設制御盤の側壁２１２のうち少なくとも一方は、隣接する設備や建屋の側壁から、一定の範囲をもつ空間Ｓを確保するように配置されている。ここで、所定の空間Ｓの大きさは、後述する新設ケーブル３３０が通過できる程度の隙間でよく、具体的には側壁２１２と隣接する設備等との距離にして１００ｍｍ程度を目安とする。この空間Ｓは、通常時は化粧箱などで、塞がれている。
【００２１】
この既設制御盤２００を新設制御盤３００に取り替える場合に、まず、開口部形成ステップ（ステップＳ１  開口部形成ステップ）として、図２に示すように、既設制御盤２００のフレーム２１１の背面Ｂに係る辺を切除して、フレームをコの字型に加工する。すなわち、図９（ａ）に示すようなフレーム２１１に対して、図９（ｂ）に示すように、その背面Ｂ側の辺を切除して開口部２１１ａを形成する。このとき、切除する辺の長さは、後述する新設ケーブル３３０を通せる大きさであればよい。このとき、フレーム２１１の強度を確保するために、角部に達しなくてもよい（角部を残して切断してもよい）。
【００２２】
なお、本実施の形態では、ステップＳ１を本作業の最初に記載したが、既設制御盤２００の撤去時と、新設制御盤３００の移動時に、既設ケーブル２３０と新設ケーブル３３０が、フレーム２１１に引っかからないようにするためのものなので、必ずしもこの順序どおりに行う必要はなく、ステップＳ６で既設制御盤２００を撤去する前に行えばよい。また、フレーム２１１の各辺がボルトなどで結合されていて分解可能な場合には、フレーム２１１の背面側の辺を切除せずに、ボルトを緩めて背面側の辺を取り外すようにしてもよい。
【００２３】
次に、図２に示すように、既設制御盤２００の周辺の空スペースに、新設制御盤３００を、その背面Ｂ２を既設制御盤２００に対向するような向きで仮置きする（ステップＳ２  仮置きステップ）。このとき、仮架台１１０の上に新設制御盤３００を載置し、新設制御盤３００の下面と設置床１００との間に空間を設け、後述する新設ケーブル３３０を配設できるようにする。
【００２４】
続いて、ケーブル接続ステップとして、図３に示すように、設置床１００の下から新設ケーブル３３０を引き出し、ケーブル孔１０２を通して既設制御盤２００の内部から、背面の開口部２１１ａ、および空間Ｓを通過して、新設制御盤３００の制御機器２２０に接続する（ステップＳ３  接続ステップ）。つまり、図９（ｃ）に示すように、開口部形成ステップで切除されたフレームの辺があった場所を通すようにして、新設ケーブル３３０を敷設する。そして、新設制御盤３００と設置床１００との間の空間に、新設ケーブル３３０を通して新設制御盤３００のキャビネット内に取り込み、新設ケーブル３３０の端部を制御機器３２０に接続する。その後、既設制御盤２００から新設制御盤３００に通電を切り替えて、既設制御盤２００を通電停止状態とし、新設制御盤３００を通電可能状態とする（ステップＳ４  通電切替ステップ）。これにより、既設ケーブル２３０は停電状態となる。
【００２５】
次に、撤去ステップとして、図４に示すように、既設ケーブル２３０制御機器２２０を既設制御盤２００から取り外し、既設制御盤２００をできるだけ軽量な状態（例えば、キャビネット２１０のみの状態）とする（ステップＳ５  取り外しステップ）。
【００２６】
その後、図５、図６に示すように、既設制御盤２００を動かして、設置スペースから移動、撤去する（ステップＳ６  撤去ステップ）。続いて、移動ステップとして、既設制御盤２００が設置されていた位置に新設制御盤３００を移動する。すなわち、図６の状態から、新設制御盤３００を移動して、図７に示すように、架台１０１の上に載置して、既設制御盤２００があった設置スペースに設置する（ステップＳ７  移動ステップ）。そして、新設ケーブル３３０の余長を引っ張って、ケーブル処理室内に収納するものである。
【００２７】
以上のように、この制御装置取替方法によれば、既設制御盤２００のフレーム２１１を、既設制御盤２００の背面Ｂにあたる辺を切除するため、容易に開口部２１１ａを形成することができる。すなわち、背面Ｂには壁板が設けられておらず、開放されている状態にあるため、フレーム２１１の辺は容易に切除でき、既設制御盤２００の前面壁２１３が塞がれている場合であっても、前面壁２１３側の辺を切除しなくてもよいので、既設制御盤２００を持ち上げる（嵩上げする）必要はない。すなわち、新設制御盤３００を設置するスペースを確保できない場合であっても、より確実に既設制御盤２００を新設制御盤３００に取り替えることができる。
【００２８】
しかも、既設制御盤２００のフレーム２１１の一部を切断して開口部２１１ａを形成すればよいため、容易かつ迅速、安全に取替を行うことができる。さらに、既設ケーブル２３０に所要の余長を要しないため、ケーブル費用を軽減することができ、また、既設制御盤２００を別の場所に移設する必要がないため、取替費用を軽減することができる。
【００２９】
また、開口部形成ステップは、遅くとも撤去ステップより前に行えばよいので、取替作業の進捗状況などに応じて開口部形成ステップの開始タイミングを柔軟に変更することができ、作業効率の向上に資することができる。
【符号の説明】
【００３０】
２００    既設制御盤（既設制御装置）
２１０    キャビネット
２１１    フレーム
２１１ａ  開口部
２１２    側壁
２１３    前面壁
２２０、３２０    制御機器
２３０    既設ケーブル
３００    新設制御盤（新設制御装置）
３３０    新設ケーブル
Ｓ        空間
【図１】
2017046458.tif 000003
【図２】
2017046458.tif 000004
【図３】
2017046458.tif 000005
【図４】
2017046458.tif 000006
【図５】
2017046458.tif 000007
【図６】
2017046458.tif 000008
【図７】
2017046458.tif 000009
【図８】
2017046458.tif 000010
【図９】
2017046458.tif 000011
【図１０】
2017046458.tif 000012